(57)【要約】ろうそくを形成するための組成物、その組成物から作製されるろうそく製品及びそのろうそく製品の製造方法に関する。組成物は、相対的に少量の可燃性ロウ材料と、相対的に多量の可燃性ゼラチン状材料との混合物からなる。組成物は例えばパラフィンロウに対するゲルの重量比が約５〜１５％パラフィンロウに対する約９５〜７５％鉱油ゲルとなるである。適宜に、顔料及び／又は芳香剤を含有させ得る。組成物を組み込んだろうそく製品の製造方法には最初に、（ａ）可燃性ロウ材料を熱溶融する工程と、（ｂ）可燃性ゼラチン状材料を熱溶融する工程と、（ｃ）相対的に少量の溶融ロウ材料を相対的に多量の溶融ゼラチン状材料と混合して流動性組成物を製造する工程とによって可燃性組成物を形成する工程がある。次に金型内にあって金型から外に延伸している芯を金型に設ける間に、組成物を形成すべきろうそく製品の形状をなす金型に注ぎ込む。最後に、注入した組成物を金型内で冷却して固化させ、ろうそく製品を得る。このようにして製造されるろうそく製品は、ロウとゲルの両方の好適な特性を有することで、ロウの安定性及び不透明性特性とともにゲルの長寿命特性を提供する。【特許請求の範囲】
【請求項１】
相対的に少量のほぼ不透明な可燃性ロウ材料と相対的に多量の可燃性ゼラチン状材料との混合物からなり、同混合物は不透明であり、かつ同混合物から形成されるろうそく製品を点火したときにも不透明さを維持する、ろうそく製品を形成するための組成物。
【請求項２】
前記ロウ材料はパラフィンロウである請求項１に記載の組成物。
【請求項３】
パラフィンロウに対するゼラチン状材料の重量比は約５〜１５％パラフィンロウに対して約９５〜７５％ゲル材料である請求項２に記載の組成物。
【請求項４】
前記ゼラチン状材料は鉱油ゲルである請求項３に記載の組成物。
【請求項５】
前記混合物全体にほぼ均一に分布する顔料をさらに含む請求項３に記載の組成物。
【請求項６】
前記混合物全体にほぼ均一に分布する芳香剤をさらに含む請求項３に記載の組成物。
【請求項７】
前記ゼラチン状材料は鉱油ゲルである請求項１に記載の組成物。
【請求項８】
前記混合物全体にほぼ均一に分布する顔料をさらに含む請求項１に記載の組成物。
【請求項９】
前記混合物全体にほぼ均一に分布する芳香剤をさらに含む請求項１に記載の組成物。
【請求項１０】
相対的に少量のほぼ不透明な可燃性ロウ材料と相対的に多量の可燃性ゼラチン状材料との混合物からなり、同混合物は不透明であり、かつ同混合物から形成されるろうそく製品を点火したときにも不透明さを維持する組成物からなるろうそく製品。
【請求項１１】
前記ロウ材料はパラフィンロウである請求項１０に記載のろうそく製品。
【請求項１２】
パラフィンロウに対するゼラチン状材料の重量比が約５〜１５％パラフィンロウに対する約９５〜７５％ゲル材料である請求項１１に記載のろうそく製品。
【請求項１３】
前記ゼラチン状材料は鉱油ゲルである請求項１２に記載のろうそく製品。
【請求項１４】
前記混合物全体にほぼ均一に分布する顔料をさらに含む請求項１２に記載のろうそく製品。
【請求項１５】
前記混合物全体にほぼ均一に分布する芳香剤をさらに含む請求項１２に記載のろうそく製品。
【請求項１６】
前記ゼラチン状材料は鉱油ゲルである請求項１０に記載のろうそく製品。
【請求項１７】
前記混合物全体にほぼ均一に分布する顔料をさらに含む請求項１０に記載のろうそく製品。
【請求項１８】
前記混合物全体にほぼ均一に分布する芳香剤をさらに含む請求項１０に記載のろうそく製品。
【請求項１９】
ａ）ｉ）不透明な可燃性ロウ材料を熱溶融する工程と、
ｉｉ）可燃性ゼラチン状材料を熱溶融する工程と、
ｉｉｉ）混合物は不透明であり、かつ同混合物から形成されるろうそく製品を点火したときにも不透明さを維持する流動性組成物を形成すべく、相対的に少量の前記溶融ロウ材料を相対的に多量の前記溶融ゼラチン状材料と混合し、前記組成物を流動状態に維持する工程とによって可燃性組成物を形成する工程と、
ｂ）金型内部から同金型から外側へと延伸する芯を設ける間に、前記流動性組成物を形成すべき前記ろうそく製品の形状をなす前記金型に注入する工程と、
ｃ）前記流動性組成物を前記金型内で冷却して固化させる工程とからなる、ろうそく製品の製造方法。
【請求項２０】
前記ロウ材料はパラフィンロウである請求項１９に記載のろうそく製品の製造方法。
【請求項２１】
約５〜１５重量％のパラフィンロウを、約９５〜７５重量％のゼラチン状材料と混合する請求項２０に記載のろうそく製品の製造方法。
【請求項２２】
前記ゼラチン状材料は鉱油ゲルである請求項２１に記載のろうそく製品の製造方法。
【請求項２３】
前記パラフィンロウ及びゼラチン状材料に顔料を混合する工程をさらに有する請求項２１に記載のろうそく製品の製造方法。
【請求項２４】
前記パラフィンロウ及び前記ゼラチン状材料に芳香剤を混合する工程をさらに有する請求項２１に記載のろうそく製品の製造方法。
【請求項２５】
前記ゼラチン状材料は鉱油ゲルである請求項１９に記載のろうそく製品の製造方法。
【請求項２６】
前記ロウ材料及び前記ゼラチン状材料に顔料を混合する工程をさらに有する請求項１９に記載のろうそく製品の製造方法。
【請求項２７】
前記ロウ材料及び前記ゼラチン状材料に芳香剤を混合する工程をさらに有する請求項１９に記載のろうそく製品の製造方法。
【発明の詳細な説明】
【０００１】
（技術分野）
本発明は、ろうそく用組成物に関する。より詳細には可燃性ロウ材料及び可燃性ゼラチン状材料の混合物から製造することにより、両材料の好適な特性がそのような混合物から形成されたろうそく製品に与えられるべきろうそく用組成物に関する。
【０００２】
（背景技術）
ろうそくは、装飾目的で非常に人気が高くなっており、代表的にはテーパ型品、成型品及び容器収納品の３種類の異なる種類のいずれかである。ろうそくは一般的にろうそく用ロウ材料から製造され、そのロウ材料にはパラフィンロウ、木ロウ又は蜜ロウなどがあり得る。芳香剤及び／又は顔料をロウ材料に加えて、個々のろうそくの特性を高めることができる。芳香剤及び／又は顔料が存在する場合、それは溶融状態の時にロウと混合し、その処理後のロウを成形して、不可欠な芳香及び／又は色を有した好適な種類のろうそくとする。ろうそくは、支えなしで安定して立ち、不透明で、室温条件ではその成形形状を失わない。
【０００３】
ロウ材料からろうそくを製造する以外に、趣があって特有の美的特性を与える透明又は半透明のゲル状ろうそくが鉱油などのゼラチン状材料を使用して製造されている。鉱油は室温ではゼラチン状及び固体であり、ゲルのオイル含有量が高いことから、ロウ材料から製造されたろうそくより長時間燃焼する。所望に応じてゲルろうそくにはさらに、多様な香り及び／又は色を施し得る。さらに、ゼラチン状材料をシート状に形成し、それを次にクッキーカッターのように切断し、従来の成型ろうそくとともに用いる装飾用の多様な形状をなすゲル部品を形成可能である。しかし、ロウ材料製のろうそくとは対照的に、ゼラチン状材料から形成されたろうそくは不透明ではなく、室温で形状が不安定であるため、専用の容器に収容する必要がある。
【０００４】
上記に明らかなように、ロウ製ろうそく及びゼラチン状材料製ろうそくの両方はいくつか好適な特性を有しているが、その特性は別個にあって、各製造形態のみにあるものである。残念ながら、今日のろうそく製品で、これらの特徴を併せ持つものはない。従って本発明の主たる目的は、特性が互いに対して相乗的に寄与して、ロウ特性とゲル特性の両方を示す製品を与えるろうそく用組成物を提供することにある。
【０００５】
本発明の別の目的は、ロウろうそくとゲルろうそくの両方の好適な挙動を具体化する組成物から製造されるろうそく製品を提供することにある。
本発明のさらに別の目的は、特性がロウの性質とゲルの性質の両方を提供する可燃性組成物を用いてろうそく製品を製造する方法を提供することにある。
【０００６】
本発明の上記及び他の目的は、以下に記載の本発明の説明全体を通して明らかになろう。
（発明の開示）
本発明は、ろうそくを形成するための組成物と、その組成物から製造されるろうそく製品と、そのろうそく製品の製造方法とに関する。組成物は、相対的に少量の可燃性ロウ材料及び相対的に多量の可燃性ゼラチン状材料の混合物からなる。好適にはロウ材料はパラフィンロウであり、ゼラチン状材料は鉱油ゲルであり、これらの可燃性成分はパラフィンロウのゲルに対する重量比で、約５〜１５％パラフィンロウから約９５〜７５％ゲルで存在する。場合により、顔料及び／又は芳香剤を含有させ、それらを混合物中で均一に分布させて、特有の美的、芳香的及び色的性質をろうそく使用時に経験できるようにすることができる。
【０００７】
上記の組成物を組み込んだろうそく製品を製造する方法においては、まず（ａ）可燃性ロウ材料を熱溶融する工程と、（ｂ）可燃性ゼラチン状材料を熱溶融する工程と、（ｃ）相対的に少量の溶融ロウ材料を相対的に多量の溶融ゼラチン状材料と混合して流動性組成物を形成し、その後その組成物を流動状態に維持する工程とによって可燃性組成物を形成する。次に、金型内にあって金型から外側へ延伸する芯を設ける間に、その流動性組成物を形成すべきろうそく製品の形状を金型に注入する。最後に、注入した組成物を金型内で冷却して固化させ、ろうそく製品を得る。上記と同様にして、組成物の組成に好適には、パラフィンロウであるロウ材料を含有させ、ゼラチン状材料は鉱油ゲルとし、それらの可燃性成分は、パラフィンロウのゲルに対する重量比で、約５〜１５％パラフィンロウから約９５〜７５％ゲルで存在させる。同様に上記のように、適宜の顔料及び／又は芳香剤を組成物に含有させ得る。上記で定義の組成物から製造されるろうそく製品は、ロウとゲルの両方の好適な特性を有することで、ロウの安定性特性とともにゲルの長寿命特性を提供することから、実際の有用性が高く美観に優れたろうそくが得られる。
【０００８】
本発明の一例として好適な実施形態を添付の図面に示す。図１は、パラフィンロウ及びゼラチン状材料可燃性組成物から形成されるろうそく製品の斜視図である。図２は、そのようなパラフィンロウ及びゼラチン状材料の溶融組成物を示すろうそく金型の斜視図であり、芯が金型内に設けられおり、そこから上方に延びている。
【０００９】
（発明を実施するための最良の形態）
図１，２を参照する。図２に示したろうそく金型１２からの製造の最終製品として、ろうそく製品１０を図１に示してある。より詳細には、まず、一定量のほぼ不透明なロウ及びある量のほぼ透明な鉱油ゲルを熱溶融させ、その後溶融ロウ及び溶融オイルゲルを約５〜１５重量％パラフィンロウに対する約９５〜７５重量％ゲルの比で互いに混合して注入可能な組成物１４を形成することにより、ろうそく製品を形成するための可燃性組成物１４を製造する。そのような無機ゲルの一つの入手源としては、いずれもペンリコ社（Ｐｅｎｒｉｃｏ　Ｃｏｍｐａｎｙ，　Ｗｏｏｄｌａｎｄ，　Ｔｅｘａｓ）製造の「キャンドル　ゲル（Ｃａｎｄｌｅ　Ｇｅｌ）」又は「バーサゲル（Ｖｅｒｓａ　Ｇｅｌ）」として入手可能なものがある。当業界で公知の適宜の顔料成分及び芳香成分をその溶融注入可能組成物１４に加え、次にその組成物をろうそく金型１２に注入する。図２に示したように、ろうそく金型１２には、金型１２内にあり、その金型から外に延長している芯１６がある。ここで図示している芯１６は、標準的な奉納型コアパラフィン−ロウろうそく１８内に配置されており、そのコアろうそく周囲に前記溶融組成物１４を注入する。しかしながら、当業者には明白であるように、芯の封入は別の方法で行うことができる。ろうそく金型１２をそれの所望のレベルまで充填したら、その中の溶融組成物１４を放冷し、それによってろうそく製品１０を形成する。所望に応じてろうそく製品１０は、ろうそく金型内に保持することができるか、あるいは自立的な展示用に金型から取り出すことができる。そうして形成されたろうそく製品１０は、ロウのみで形成されたろうそく製品と比較して燃焼時間が長く、光沢露出表面が広く、しかもゼラチン状ろうそく製品とは対照的に不透明ろうそく製品としてその形状を支えなしで保持する。
【００１０】
以上、本明細書においては、本発明の一例としての現在好ましい実施形態について詳細に説明したが、理解しておくべき点として、本発明の考え方は他の形態で多様に具体化及び使用可能であり、先行技術によって限定される場合を除き、添付の特許請求の範囲はそのような変化型のものを包含すると解釈される。
【図面の簡単な説明】
【図１】パラフィンロウ及びゼラチン状材料可燃性組成物から形成されるろうそく製品を示す斜視図。
【図２】パラフィンロウ及びゼラチン状材料の溶融組成物及びろうそく金型を示す斜視図。
【国際公開パンフレット】
2004502861.tif 000002
2004502861.tif 000003
2004502861.tif 000004
2004502861.tif 000005
2004502861.tif 000006
2004502861.tif 000007
2004502861.tif 000008
2004502861.tif 000009
【国際調査報告】
2004502861.tif 000010